(57)【要約】【課題】  強度及び靭性に優れており、これに加えて耐水熱劣化性に優れる透光性ジルコニア焼結体を提供する。【解決手段】  イットリアを２．５〜３．５モル％及びアルミナを０．０５〜０．３重量％含み、正方晶率が９０重量％以上、かつ、試料厚み１．０ｍｍでの波長６００ｎｍの光透過率が３０％以上の透光性ジルコニア焼結体を用いる。該焼結体は、イットリアを２．５〜３．５モル％及びアルミナを０．０５〜０．３重量％含み、ＢＥＴ比表面積１３〜２０ｍ２／ｇ、平均粒径０．４μｍ以下のジルコニア粉末を成形し、８００〜１１００℃で加熱して仮焼体を得、次いで、該仮焼体を電磁波加熱によって１１５０〜１２５０℃で焼成して得る。【選択図】    なし【特許請求の範囲】
【請求項１】
イットリアを２．５〜３．５モル％及びアルミナを０．０５〜０．３重量％含み、正方晶率が９０重量％以上、かつ、試料厚み１．０ｍｍでの波長６００ｎｍの光透過率が３０％以上の透光性ジルコニア焼結体。
【請求項２】
焼結体全体を１４０℃熱水中に７５時間浸漬させた後の焼結体中の単斜晶存在比率が１０％以下であることを特徴とする請求項１に記載のジルコニア焼結体。
【請求項３】
イットリアを２．５〜３．５モル％及びアルミナを０．０５〜０．３重量％含み、ＢＥＴ比表面積１３〜２０ｍ２／ｇ、平均粒径０．４μｍ以下のジルコニア粉末を成形し、８００〜１１００℃で加熱して仮焼体を得、次いで、該仮焼体を電磁波加熱によって１１５０〜１２５０℃で焼成することによる請求項１または請求項２記載の透光性ジルコニア焼結体の製造方法。
【発明の詳細な説明】
【技術分野】
【０００１】
本発明は、耐水熱劣化性に優れる透光性ジルコニア焼結体に関する。特に、歯科用途で使用されるジルコニア焼結体、更には義歯材料等のミルブランク、歯列矯正ブラケットとして用いるのに適する。
【背景技術】
【０００２】
常温力学特性（強度・靭性）に優れるイットリア安定化正方晶ジルコニア焼結体は、切断工具、ダイス、ノズル、ベアリング等の構造部材や歯科材等の生体材料に広く利用されている。更に、歯科材の場合、高強度・高靱性という機械的特性のみならず、審美的観点から透光性や色調という光学的特性も要求される。
【０００３】
一方で、この正方晶ジルコニアは、長い時間を経て除々に正方晶から単斜晶へ相変態して体積膨張が起って、クラックが発生し、強度及び靭性が低下する劣化現象が起ることが指摘されており、特に、歯科材では上記の特性を満足し、かつ、劣化しにくい品質信頼性の高い、即ち、製品寿命の長いものが求められている。品質信頼性は、一般に水熱処理による劣化加速試験で評価されている。
【０００４】
また、ジルコニア単結晶は透光感があり、従来からイットリアを約１０モル％含有する立方晶ジルコニア単結晶は宝飾品等に利用されているが、強度が極めて低いという問題があった。
【０００５】
更に、正方晶を主成分とする多結晶体のイットリア安定化正方晶ジルコニア焼結体は、結晶粒間及び粒内に存在する残留気孔が光散乱を引起すために光透過率が低くなることが知られており、これまで残留気孔を減少させ密度を高めることで透光性を付与しようとする研究がなされている。
【０００６】
例えば、特許文献１にはイットリアを２モル％以上及びチタニアを３〜２０モル％含む透光性ジルコニアが開示されているが、透光性を与えるためにチタニアを多量に含有させるため、強度をより高める必要があった。
【０００７】
特許文献２には、２〜４モル％イットリア、０．１〜０．２重量％アルミナの組成において、可視光の全光線透過率が試料厚み１．０ｍｍで３５％以上のジルコニア焼結体が開示されている。しかしながら、この焼結体に対して１４０℃の熱水中に２４時間浸漬させる劣化加速試験を実施すると、焼結体の単斜晶相率が５〜２９％となり、品質信頼性に更なる改善の余地があった。
【０００８】
特許文献３には、イットリアが固溶したジルコニア焼結体であって、該ジルコニア焼結体の正方晶の結晶粒子の配向度が４５％以下であるジルコニア焼結体が開示されている。しかしながら、この焼結体は望ましい密度までは到達しておらず残留気孔が多いため、審美性に改善の余地があった。
【０００９】
また、特許文献４には、２〜４モル％のイットリアを含み、０．２重量％以下のアルミナを含むジルコニアからなり、相対密度が９９．８％以上、厚み１．０ｍｍでの全光線透過率が３５％以上のジルコニア焼結体が開示されている。しかしながら、この焼結体は特許文献２と同様に品質信頼性に更なる改善の余地があった。
【先行技術文献】
【特許文献】
【００１０】
【特許文献１】特開昭６２−９１４６７号公報
【特許文献２】特開２００９−２６９８１２公報
【特許文献３】特開平１１−２４０７５７号公報
【特許文献４】国際公開第２００９／１２５７９３号パンフレット
【発明の概要】
【発明が解決しようとする課題】
【００１１】
本発明では、上記のような従来品における欠点を解消し、強度及び靭性に優れており、これに加えて耐水熱劣化性に優れる透光性ジルコニア焼結体の提供；並びにその透光性ジルコニア焼結体を簡易なプロセスにより製造することのできる方法の提供を目的とするものである。
【課題を解決するための手段】
【００１２】
本発明者らは、ジルコニア焼結過程で形成される微細組織と光透過率及び耐水熱劣化性の関係について詳細に検討し、本発明に到達した。
【００１３】
即ち、本発明は、
ａ）イットリアを２．５〜３．５モル％及びアルミナを０．０５〜０．３重量％含み、正方晶率が９０重量％以上、かつ、試料厚み１．０ｍｍでの波長６００ｎｍの光透過率が３０％以上の透光性ジルコニア焼結体。
ｂ）焼結体全体を１４０℃熱水中に７５時間浸漬させた後の焼結体中の単斜晶存在比率が１０％以下であることを特徴とする上記ａ）のジルコニア焼結体。
ｃ）イットリアを２．５〜３．５モル％及びアルミナを０．０５〜０．３重量％含み、ＢＥＴ比表面積１３〜２０ｍ２／ｇ、平均粒径０．４μｍ以下のジルコニア粉末を成形し、８００〜１１００℃で加熱して仮焼体を得、次いで、該仮焼体を電磁波加熱によって１１５０〜１２５０℃で焼成することによる上記ａ）またはｂ）の透光性ジルコニア焼結体の製造方法。
を要旨とするものである。以下、本発明をさらに詳細に説明する。
【００１４】
本発明における用語の定義を以下に示す。
【００１５】
透光性ジルコニア焼結体に係わる「ジルコニア」とは、イットリアが安定化剤として固溶しているジルコニアをいう。
【００１６】
「イットリア濃度」とは、Ｙ２Ｏ３／（ＺｒＯ２＋Ｙ２Ｏ３）の比率をモル％として表した値をいう。
【００１７】
「アルミナ濃度」とは、Ａｌ２Ｏ３／（ＺｒＯ２＋Ｙ２Ｏ３＋Ａｌ２Ｏ３）の比率を重量％として表した値をいう。
【００１８】
「正方晶の比率（正方晶率）」とは、Ｘ線回折（ＸＲＤ）プロファイルに解析プログラムとしてＲＩＥＴＡＮ−ＦＰ（参考文献：Ｆ．Ｉｚｕｍｉ，”Ｔｈｅ  Ｒｉｅｔｖｅｌｄ  Ｍｅｔｈｏｄ”，Ｅｄ．  ｂｙ  Ｒ．  Ａ．  Ｙｏｕｎｇ，  Ｏｘｆｏｒｄ  Ｕｎｉｖｅｒｓｉｔｙ  Ｐｒｅｓｓ，  Ｏｘｆｏｒｄ  （１９９３）  Ｃｈａｐ．  １３．）を用いてリートベルト法により算出された重量％の値をいう。
【００１９】
「光透過率」とは、焼結体の両面を鏡面研磨加工した厚み１．０ｍｍの円盤形状の測定試料を用い、紫外可視分光光度計で測定された光透過スペクトルの波長６００ｎｍでの全光線透過率の値をいう。
【００２０】
「単斜晶率（ｆｍ）」とは、水熱処理した焼結体についてＸＲＤ測定を行い、単斜晶の（１１１）及び（１１−１）反射の面積強度、立方晶及び正方晶の（１１１）反射の面積強度をそれぞれ求めて、数式１により算出されたものの％値をいう。
【００２１】
ｆｍ（％）＝［Ｉｍ（１１１）＋Ｉｍ（１１−１）］×１００／［Ｉｍ（１１１）＋
Ｉｍ（１１−１）＋Ｉｔ（１１１）＋Ｉ（１１１）ｃ］    （１）
ここで、Ｉは各反射の面積強度、添字ｍ，ｔ及びｃはそれぞれ単斜晶，正方晶，立方晶を示す。
【００２２】
「相対密度」とは、実験的に求めた実測密度ρと、数式２〜５により計算されたイットリア及びアルミナを含有するジルコニアの真密度ρ０を用い、（ρ／ρ０）×１００で表される比率（％）のことをいう。
【００２３】
Ａ＝０．５０８０＋０．０６９８０Ｘ／（１００＋Ｘ）    （２）
Ｃ＝０．５１９５−０．０６１８０Ｘ／（１００＋Ｘ）    （３）
ρＺ＝［１２４．２５（１００−Ｘ）＋２２５．８１Ｘ］／［１５０．５（１００＋Ｘ）Ａ２Ｃ］    （４）
ρ０＝１００／［（Ｙ／３．９８７）＋（１００−Ｙ）／ρＺ］    （５）
ここで、Ｘはイットリア濃度（モル％）、Ｙはアルミナ濃度（重量％）である。
【００２４】
アルミナ及びジルコニア結晶粒子に係わる「平均粒径」とは、電子顕微鏡を用いてプラニメトリック法（参考文献：山口喬，セラミックス，１９，５２０−５２９（１９８４））により算出されたものの値をいう。
【００２５】
ジルコニア粉末に係わる「ＢＥＴ比表面積」は、吸着分子として窒素を用いて測定したものをいう。
【００２６】
「平均粒径」とは、体積基準分布が中央値（メディアン）である粒子と同じ体積の球の直径をいい、レーザー回折装置による粒度分布測定装置、例えば、マイクロトラック粒度分布計によって測定することができる。
【００２７】
本発明の透光性ジルコニア焼結体は、イットリアを２．５〜３．５モル％及びアルミナを０．０５〜０．３重量％含んでいることを必要とする。イットリア濃度を２．５〜３．５モル％とすることにより、劣化が抑制されて品質信頼性が向上すると共に、機械的特性が向上するからである。より高い品質信頼性及びより強い機械的特性を得るために、イットリア濃度としては、２．８〜３．３モル％が好ましい。
【００２８】
また、アルミナ濃度を０．０５〜０．３重量％とすることにより、結晶粒間の境界（粒界）に固溶偏析しているアルミニウムイオンの偏析量が多くなった結果、粒界強度が高くなって強度・靱性が高いものとなり、また、結晶粒界におけるアルミニウムイオンの固溶限界を超えないため、光散乱により光透過率が低下する原因となるアルミナ結晶粒の析出が抑制された結果、審美性が付与されて歯科材用として好適なものとなるからである。より好ましいアルミナ濃度は、０．１〜０．２重量％である。
【００２９】
さらに、上記のジルコニア焼結体は、正方晶率が９０重量％以上、かつ、試料厚み１．０ｍｍでの波長６００ｎｍの光透過率が３０％以上でなければならない。正方晶率を９０重量％以上とすることにより、正方晶の相安定性が向上し、品質信頼性が高くなるからである。また、試料厚み１．０ｍｍでの波長６００ｎｍの光透過率が３０％以上、好ましくは３３％以上であると、審美性が維持されるため、歯科材用として好適なものとなるからである。
【００３０】
本発明のジルコニア焼結体の相対密度は、９９％以上、好ましくは９９．５％以上のものがよい。
【００３１】
また、本発明のジルコニア焼結体は、焼結体全体を１４０℃熱水中に７５時間浸漬させた後に、その焼結体の単斜晶存在比率を測定すると、その存在比率が１０％以下、好ましくは６％以下のものであり、耐水熱劣化性に優れるものである。
【００３２】
次に、本発明の透光性ジルコニア焼結体の製造方法につき説明する。
【００３３】
本発明の透光性ジルコニア焼結体を製造する方法においては、イットリアを２．５〜３．５モル％及びアルミナを０．０５〜０．３重量％含み、ＢＥＴ比表面積１３〜２０ｍ２／ｇ、平均粒径０．４μｍ以下のジルコニア粉末を原料として使用する。
【００３４】
イットリアの濃度としては、本発明の製造方法により得られる焼結体に、より高い品質信頼性及びより強い機械的特性を与えるために、２．８〜３．３モル％が好ましい。
【００３５】
また、アルミナ濃度としては、本発明の製造方法により得られる焼結体に、より大きな強度・靱性を与え、一方、光透過率が低下する原因となるアルミナ結晶粒の析出を抑制するために、０．１〜０．２重量％が好ましい。
【００３６】
ジルコニア粉末のＢＥＴ比表面積が１３〜２０ｍ２／ｇであると、焼結性・成形性の良好な粉末となるため、製造される焼結体は、良好な光透過率を与えるものとなる。
【００３７】
また、ジルコニア粉末の平均粒径が０．４μｍ以下であると、焼結性が高い粉末となるために、製造される焼結体の光透過率が３０％以上となる。より好ましいジルコニア粉末の平均粒径は、０．１〜０．３μｍである。
【００３８】
次いで、本発明の製造方法では、上記のジルコニア粉末を成形して、８００〜１１００℃で加熱して仮焼体を得る工程を実施する。仮焼体を得るための加熱温度を８００〜１１００℃とすることにより、ジルコニア粉末中に残留している吸着水や不純物等の微量の昇温脱離成分を十分に除去することが可能となるため、次のマイクロ波焼成過程でそれらの微量成分を原因とする微細クラックが生じることを防止でき、また、この仮焼工程で内部に気孔が残留した仮焼体微構造が形成され、マイクロ波焼成工程で当該残留気孔が焼結体外部に除去されないことに起因する光透過率の低下を抑制することができる。
【００３９】
ジルコニア粉末を成形する方法としては、加圧成形，射出成形，押出成形等の公知の方法を選択することができる。
【００４０】
次いで、上記の仮焼体を電磁波加熱によって１１５０〜１２５０℃で焼成する。通常の輻射加熱方式の電気炉で仮焼体を焼成すると、仮焼体表面層より加熱が始まって熱伝導により仮焼体内部が加熱されるので表面層より焼結が進行し、その結果として焼結体内部に気孔が残留しやすくなり、結果として光透過率が３０％よりも小さくなるからである。
【００４１】
焼成温度が１１５０〜１２５０℃、好ましくは１１６０〜１２４０℃であると、仮焼体の緻密化が充分進行するために焼結体に気孔が残留し難くなるため、光透過率が３０％以上となり、また、正方晶率を９０重量％とすることが可能であるからである。
【００４２】
本発明の製造方法における電磁波による加熱方法としては、電磁波を用いて加熱する焼結方法であれば特に限定されないが、電磁波としてはマグネトロンまたはジャイロトロン等から発生する連続またはパルス状の２．４５ＧＨｚ等のマイクロ波、２８ＧＨｚ等のミリ波、またはサブミリ波が利用できる。
【００４３】
電磁波焼成炉としては、バッチ式、連続式、外部加熱式とのハイブリット式等の種々の焼成炉を使用することができ、特に、周波数２．４５ＧＨｚのマイクロ波焼成炉を用いて電磁波加熱を行うことが好ましい。電磁波加熱では電気焼成炉に比べて短時間で昇温速度を上げることや保持時間を短縮することが可能であり、焼成時の昇温速度については特に限定されないが、生産性の観点から４００〜６００℃／ｈとするのが好ましい。焼成温度の保持時間は１〜２時間程度でよい。
【００４４】
本発明のジルコニア焼結体の製造方法によれば、ジルコニア焼結体として、相対密度９９％以上、好ましくは９９．５％以上のものを得ることができる。
【００４５】
上記のジルコニア粉末の製造方法には特に制限はなく、イットリア濃度、アルミナ濃度、ＢＥＴ比表面積及び平均粒径を満足しているものであれば、いかなる方法（例えば、加水分解法，中和共沈法等）で得られたものを用いてもよい。特に、イットリウムを含む水和ジルコニア微粒子を９００〜１０００℃の温度で加熱して得られるジルコニア粉末が好適であり、これにアルミニウム化合物を加えて湿式粉砕すればよい。
【００４６】
このイットリウムを含む水和ジルコニア微粒子は、ジルコニウム塩水溶液の加水分解反応により得られる水和ジルコニアゾル含有液に、イットリウム化合物を添加して乾燥させたものを用いればよい。また、イットリウム化合物を前もって所定量添加したジルコニウム塩水溶液の加水分解反応により得られる水和ジルコニアゾル含有液を乾燥させたものを用いてもよい。
【００４７】
水和ジルコニアゾルの製造に用いられるジルコニウム塩としては、オキシ塩化ジルコニウム，硝酸ジルコニル，塩化ジルコニウム，硫酸ジルコニウムなどを挙げることができるが、この他に水酸化ジルコニウムと酸との混合物を用いてもよい。
【００４８】
イットリウム化合物としては、塩化物，水酸化物，酸化物などを挙げることができる。
【００４９】
ジルコニア粉末に添加するアルミニウム化合物は、塩化アルミニウム，硫酸アルミニウム，水酸化アルミニウム，アルミナゾル，酸化アルミニウム粉末などが挙げられる。
【発明の効果】
【００５０】
以上、説明したとおり、本発明の透光性ジルコニア焼結体は、強度及び靭性に優れており、これに加えて耐水熱劣化性にも優れている。また、本発明の方法により、上記の透光性ジルコニア焼結体を簡易なプロセスにより製造することができる。
【実施例】
【００５１】
以下、実施例により本発明を具体的に説明するが、本発明はこれらの実施例に何等限定されるものではない。
【００５２】
例中、ジルコニア微粉末の平均粒径は、マイクロトラック粒度分布計（Ｈｏｎｅｙｗｅｌｌ社製，商品名「９３２０−ＨＲＡ」）を用いて測定した。試料の前処理条件としては、粉末を蒸留水に懸濁させ、超音波ホモジナイザーを用いて３分間分散させた。
【００５３】
ジルコニア粉末の成形は、成形圧力２００ＭＰａで冷間静水圧（ＣＩＰ）を行った。
【００５４】
マイクロ波焼成は、周波数２．４５ＧＨｚの焼成炉を用い、成形体を炭化ケイ素セッターの上に置いて行った。焼成条件（昇温速度，焼成温度）は、試料に熱電対を直接接触させて制御した。
【００５５】
得られた焼結体の密度は、アルキメデス法により測定した。
【００５６】
アルミナ及びジルコニア結晶粒の平均粒径は、熱エッチング処理を行ったあとに、電界放出形走査型電子顕微鏡（ＦＥ−ＳＥＭ）を用いてプラニメトリック法により算出した。具体的には、顕微鏡画像上に円を描いたとき、円内の粒子数ｎｃと円周にかかった粒子数Ｎｉの合計が少なくとも２００個となるような円を描いて、または２００個に満たない画像の場合には、粒子数の合計（ｎｃ＋Ｎｉ）が少なくとも２００個となるように数視野の画像を用いて複数の円を描き、プラニメトリック法により平均粒径を求めた。
【００５７】
正方晶率は、ＸＲＤをステップスキャン法（２θ：１５〜８０°，ステップ幅：０．０４°，積算時間：８秒／ステップ）で測定し、得られたプロファイルをリートベルト法により定量化することにより求めた。解析は、正方晶及び立方晶の混相とし、各結晶のプロファイル関数は独立して取扱い、各元素の温度パラメーターは同一とした。
【００５８】
光透過率は、焼結体の両面を鏡面研磨加工して厚み１．０ｍｍの円盤形状の試料を作製し、紫外可視分光光度計（日本分光（株）製，商品名「Ｖ−６５０」）で波長６００ｎｍにおける全光線透過率を測定した。
【００５９】
機械的特性（靭性）は、微小圧子圧入法で評価を行い、新原の式（参考文献：新原皓一，セラミックス，２０，１２−１８，１９８５）を用いて算出した。
【００６０】
また、劣化加速試験は、焼結体を１４０℃の熱水中に所定時間浸漬させ、生成する単斜晶の比率を求めることによって評価した。単斜晶率は、浸漬処理した焼結体についてＸ線回折測定を行い、前記の数式１により算出した。
【００６１】
実施例１
２モル／リットルのオキシ塩化ジルコニウム水溶液４リットルに２モル／リットルのアンモニア水４．８リットルを混合し、蒸留水を加えてジルコニア換算濃度０．８モル／リットルの溶液を調製した。この溶液を還流器付きフラスコ中で攪拌しながら加水分解反応を煮沸温度で１５０時間行った。
【００６２】
得られた水和ジルコニアゾルに、塩化イットリウムをイットリア濃度が３．０モル％になるように添加して乾燥させ、９５０℃の温度で２時間加熱した。
【００６３】
得られた加熱粉を水洗処理したあとに、粒径０．０１５μｍのアルミナゾルをアルミナ濃度が０．１５重量％になるように添加し、さらに蒸留水を加えてジルコニア濃度４５重量％のスラリーにした。このスラリーを直径２ｍｍのジルコニアボールを用いて、振動ミルで４８時間粉砕して乾燥させた。得られたジルコニア粉末の特性を表１に示す。
【００６４】
次いで、上記で得られたジルコニア粉末を成形し、得られた成形体を電気炉で１１００℃×２時間加熱して、次いで、昇温６００℃／ｈ，１２００℃×１時間の条件でマイクロ波焼結させた。
【００６５】
得られた焼結体の特性（相対密度，正方晶率，光透過率，靭性）と劣化加速試験（エージング時間：２４，７５時間）後の単斜晶率を表２に示す。エージング７５時間での単斜晶率が４％であることから、極めて劣化しにくい品質信頼性の高い焼結体であることが確認された。
【００６６】
実施例２
イットリア濃度が２．６モル％及びマイクロ波焼成の温度が１１６０℃以外は、実施例１と同様の条件でジルコニア焼結体を得た。得られた焼結体の特性と劣化加速試験後の単斜晶率を表２に示す。エージング７５時間での単斜晶率が６％であることから、極めて劣化しにくい品質信頼性の高い焼結体であることが確認された。
【００６７】
実施例３
イットリア濃度が３．４モル％以外は、実施例１と同様の条件でジルコニア焼結体を得た。得られた焼結体の特性と劣化加速試験後の単斜晶率を表２に示す。エージング７５時間での単斜晶率が２％であることから、極めて劣化しにくい品質信頼性の高い焼結体であることが確認された。
【００６８】
実施例４
アルミナ濃度が０．１重量％及びマイクロ波焼成の温度が１２４０℃以外は、実施例１と同様の条件でジルコニア焼結体を得た。得られた焼結体の特性と劣化加速試験後の単斜晶率を表２に示す。エージング７５時間での単斜晶率が７％であることから、極めて劣化しにくい品質信頼性の高い焼結体であることが確認された。
【００６９】
実施例５
マイクロ波焼成の温度が１１６０℃以外は、実施例１と同様の条件でジルコニア焼結体を得た。得られた焼結体の特性と劣化加速試験後の単斜晶率を表２に示す。エージング７５時間での単斜晶率が３％であることから、極めて劣化しにくい品質信頼性の高い焼結体であることが確認された。
【００７０】
実施例６
マイクロ波焼成の温度が１２４０℃以外は、実施例１と同様の条件でジルコニア焼結体を得た。得られた焼結体の特性と劣化加速試験後の単斜晶率を表２に示す。エージング７５時間での単斜晶率が６％であることから、極めて劣化しにくい品質信頼性の高い焼結体であることが確認された。
【００７１】
比較例１
アルミナゾルを添加しない以外は、実施例１と同様の条件でジルコニア焼結体を得た。得られた焼結体の特性と劣化加速試験後の単斜晶率を表２に示す。光透過率が１５％と低く、審美性の悪い焼結体であることが確認された。
【００７２】
比較例２
アルミナ濃度を０．４重量％とした以外は、実施例１と同様の条件でジルコニア焼結体を得た。得られた焼結体の特性と劣化加速試験後の単斜晶率を表２に示す。光透過率が２８％と低く、審美性の悪い焼結体であることが確認された。
【００７３】
比較例３
成形体を電気炉で１１００℃×２時間加熱処理を施さない以外は、実施例１と同様の条件でジルコニア焼結体を得た。得られた焼結体の特性と劣化加速試験後の単斜晶率を表２に示す。光透過率が１３％と低く、審美性の悪い焼結体であることが確認された。
【００７４】
比較例４
マイクロ波焼成の代わりに電気炉で昇温６００℃／ｈ，１２００℃×１時間の条件で行った以外は、実施例１と同様の条件でジルコニア焼結体を得た。得られた焼結体の特性と劣化加速試験後の単斜晶率を表２に示す。光透過率が＜１％と極めて低く、審美性の悪い焼結体であることが確認された。
【００７５】
比較例５
マイクロ波焼成の温度を１３００℃とした以外は、実施例１と同様の条件でジルコニア焼結体を得た。得られた焼結体の特性と劣化加速試験後の単斜晶率を表２に示す。劣化加速試験（エージング時間：７５時間）後の単斜晶率が１７％であり、劣化しやすい焼結体であることが確認された。
【００７６】
比較例６
０．４モル／リットルのオキシ塩化ジルコニウム水溶液に水酸化カリウム水溶液を添加して、モル濃度比が［ＯＨ］／［Ｚｒ］＝０．０２の水溶液を調製した。この溶液を還流器付きフラスコ中で攪拌しながら加水分解反応を煮沸温度で３５０時間行った。この水和ジルコニアゾルに蒸留水を加えて、ジルコニア換算濃度０．３モル／リットルの溶液を調製した。これを出発溶液に用いて、溶液の５体積％を反応槽から間欠的に排出し、かつ、溶液の体積が一定に保たれるように、その排出量と同量の０．３モル／リットルの水酸化ナトリウム水溶液を添加したオキシ塩化ジルコニウム水溶液（［ＯＨ］／［Ｚｒ］＝０．０２）を３０分毎に反応槽に供給しながら煮沸温度で加水分解反応を２００時間行った。
【００７７】
この水和ジルコニアゾルに、塩化イットリウムをイットリア濃度が３モル％になるように添加して乾燥させ、１１４０℃の温度で２時間仮焼した。得られた仮焼粉を水洗処理したあとに、粒径０．０１５μｍのアルミナゾルをアルミナ含有量で０．１７重量％及び蒸留水を加えてジルコニア濃度４５重量％のスラリーにした。このスラリーを直径２ｍｍのジルコニアボールを用いて、振動ミルで２４時間処理してジルコニア粉末を得た。得られたジルコニア粉末の特性を表１に示す。
【００７８】
次いで、上記で得られたジルコニア粉末を成形し、電気炉で昇温５０℃／ｈ，１３５０℃×２時間の条件で焼結させた。得られた焼結体の特性と劣化加速試験後の単斜晶率を表２に示す。劣化加速試験（エージング時間：７５時間）後の単斜晶率が１９％と劣化しやすい焼結体であることが確認された。
【００７９】
比較例７
加水分解法で、表１記載の粉末特性を有するジルコニア粉末を合成した。得られた粉末を金型プレスで成形（成形圧６８．６ＭＰａ）して、電気炉で昇温１００℃／ｈ，１３５０℃×２時間の条件で焼結させた。得られた焼結体の特性と劣化加速試験後の単斜晶率を表２に示す。光透過率が１３％と低く、審美性の悪い焼結体であることが確認された。
【００８０】
比較例８
オキシ塩化ジルコニウムの加水分解によって得られた水和ジルコニアゾルに、塩化イットリウムをイットリア濃度が３モル％になるように添加して乾燥させ、１０３０℃の温度で２時間加熱した。得られた加熱粉を水洗処理したあとに、平均粒径０．３μｍのα−アルミナをアルミナ含有量で０．０５重量％及び蒸留水を加えてジルコニア濃度が４５重量％のスラリーにした。このスラリーを、直径３ｍｍのジルコニアボールを用いて、振動ミルで２４時間粉砕処理して、ジルコニア粉末を得た。得られたジルコニア粉末の特性を表１に示す。
【００８１】
次いで、上記で得られたジルコニア粉末を成形し、電気炉で昇温１００℃／ｈ，１４００℃×２時間の条件で焼結させた。得られた焼結体の特性と劣化加速試験後の単斜晶率を表２に示す。劣化加速試験（エージング時間：７５時間）後の単斜晶率が１８％と劣化しやすい焼結体であることが確認された。
【００８２】
【表１】
2014012627.tif 000002
【００８３】
【表２】
2014012627.tif 000003
【産業上の利用可能性】
【００８４】
歯科用途で使用されるジルコニア焼結体、更には義歯材料等のミルブランク、歯列矯正ブラケットとして用いるのに適する。